(57)【要約】【課題】チャックの大きさやビットの長さにかかわりなく、常にビットの先端を適切に照明可能とする。【解決手段】チャック１の操作スリーブ３内で本体２との間に形成されるスペースには、ライトユニット８が配されている。このライトユニット８は、操作スリーブ３の内周面に固定される基板９と、その基板９に、周方向へ等間隔で３箇所設けられるＬＥＤ１０，１０・・と、基板９に接続されるボタン電池１１とを有してなり、基板９には、ボタン電池１１を電源として各ＬＥＤ１０が並列に電気的接続される回路が形成されると共に、その回路をＯＮ／ＯＦＦするスライド式のスイッチ１２が基板に設けられて、操作スリーブ３の外部に露出している。【選択図】  図１
2004174667.tif 000002
【特許請求の範囲】
【請求項１】
後端が電動工具のスピンドルへ一体に装着可能で、前端に、操作スリーブの操作によって動作するビットの把持手段を備えた電動工具用チャックであって、
通電により前記把持手段の前方を照射可能な照明体と、その照明体へ電気的接続される電池と、前記照明体と電池との回路を開閉可能なスイッチ手段とを設けたことを特徴とする電動工具用チャック。
【請求項２】
後端が電動工具のスピンドルへ一体に装着可能で、前端に、操作スリーブの操作によって動作するビットの把持手段を備えた電動工具用チャックであって、
通電により前記把持手段の前方を照射可能な照明体を設け、その照明体へ電気的接続される正負の端子を後方へ露出状態で設けたことを特徴とする電動工具用チャック。
【請求項３】
正負の端子の一方または双方を金属製の構成部品で兼用した請求項２に記載の電動工具用チャック。
【請求項４】
モータを収容したハウジングの先端に、前記モータの駆動で回転し、請求項２または３に記載の電動工具用チャックを装着可能なスピンドルを突出させる一方、前記ハウジングに、前記モータの駆動回路と電気的接続され、前記電動工具用チャックの装着状態で前記スピンドルの回転にかかわらず前記チャック側の正負の端子と夫々当接可能な正負の端子を設けてなる電動工具。
【請求項５】
正負の端子の一方または双方を金属製の構成部品で兼用した請求項４に記載の電動工具。
【発明の詳細な説明】
【０００１】
【発明の属する技術分野】
本発明は、電動工具のスピンドルに装着されてビットを把持させるチャックと、そのチャックを用いた電動工具とに関する。
【０００２】
【従来の技術】
例えばドライバドリル等の電動工具においては、先端に突出させたスピンドルに、操作スリーブの回転操作によって拡縮動作する把持爪等の把持手段を備えたチャックを装着し、穿孔作業やネジ締め等の作業に合わせてビットを交換可能としたものが知られている。
特に、このような電動工具にあっては、例えば特許文献１や、本件出願人の先行出願である特願２００１−３５０５４３号に記載のように、ハウジングにスイッチのＯＮと同時に点灯するライトを取り付けて、作業箇所を照明可能とし、暗い場所での作業をやりやすくしたものがある。
【０００３】
【特許文献１】
実公昭２７−６１８６号公報
【０００４】
【発明が解決しようとする課題】
しかし、上記先行技術は何れもライトが電動工具側のハウジングに設けられる態様であるから、スピンドルに装着されるチャックが大きく、ビットが短いような場合には、ライトの光がチャックに遮られてビットの先端に届かず、十分な照明が得られないという不具合があった。また、ハウジング内のスペースを利用するため、ライトの位置や数に制限を受けることにもなってしまう。
【０００５】
そこで、本発明は、チャックの大きさやビットの長さにかかわりなく、常にビットの先端を適切に照明でき、使い勝手に優れる電動工具用チャックまたは電動工具を提供することを目的としたものである。
【０００６】
【課題を解決するための手段】
上記目的を達成するために、請求項１に記載の発明は、電動工具用チャックの発明として、通電により把持手段の前方を照射可能な照明体と、その照明体へ電気的接続される電池と、照明体と電池との回路を開閉可能なスイッチ手段とを設けたことを特徴とするものである。
上記目的を達成するために、請求項２に記載の発明は、電動工具用チャックの発明として、通電により把持手段の前方を照射可能な照明体を設け、その照明体へ電気的接続される正負の端子を後方へ露出状態で設けたことを特徴とするものである。
請求項３に記載の発明は、請求項２の目的に加えて、照明体の電源への接続を簡単な構成で行うために、正負の端子の一方または双方を金属製の構成部品で兼用したものである。
【０００７】
上記目的を達成するために、請求項４に記載の発明は、電動工具の発明として、モータを収容したハウジングの先端に、モータの駆動で回転し、請求項２に記載の電動工具用チャックを装着可能なスピンドルを突出させる一方、ハウジングに、モータの駆動回路と電気的接続され、電動工具用チャックの装着状態でスピンドルの回転にかかわらずチャック側の正負の端子と夫々当接可能な正負の端子を設けたものである。
請求項５に記載の発明は、請求項４の目的に加えて、照明体の電源への接続を簡単な構成で行うために、正負の端子の一方または双方を金属製の構成部品で兼用したものである。
【０００８】
【発明の実施の形態】
以下、本発明の実施の形態を図面に基づいて説明する。
《形態１》
図１は、本発明に係る電動工具用チャック（以下単に「チャック」という）と、そのチャックを用いた電動工具としての震動ドライバドリル（以下単に「ドライバドリル」という）との一部縦断面図である。まず、チャックの構成について説明する。
チャック１は、ドライバドリル２０のスピンドル２６をねじ込み可能な雌ネジ孔２ａを形成した本体２の外周に、操作スリーブ３を回転可能に外装し、本体２と操作スリーブ３との間で前方部分に、操作スリーブ３の内周へ一体に設けたナット部４と螺合し、本体２に設けた傾斜案内面５上に配置された把持手段としての３つの把持爪６，６・・を設けてなる。７は、本体２とスピンドル２６とを一体化させるボルトである。よって、操作スリーブ３を回転操作すると、ナット部４のネジ送りによって各把持爪６は傾斜案内面５に沿って摺動し、後方への摺動で中心からの拡開方向へ、前方への摺動で中心への収縮方向へ夫々移動する。従って、各把持爪６によるビットの装着とその解除とが可能となる。
【０００９】
そして、操作スリーブ３内で本体２との間に形成されるスペースには、ライトユニット８が配されている。このライトユニット８は、操作スリーブ３の内周面に沿って固定される円弧状の基板９と、その基板９に、周方向へ等間隔で３箇所設けられる発光ダイオード（以下「ＬＥＤ」という）１０，１０・・と、基板９に接続されるボタン電池１１とを有してなり、基板９には、ボタン電池１１を電源として各ＬＥＤ１０が並列に電気的接続される回路が形成されると共に、その回路をＯＮ／ＯＦＦするスライド式のスイッチ１２が設けられて、スイッチ１２を操作スリーブ３の外部に露出させている。また、各ＬＥＤ１０は、図２にも示す如く、各把持爪６の中心を通る雌ネジ孔２ａの軸線上で各把持爪６の前方を照射できるように、やや内方に傾けた姿勢で操作スリーブ３内の最前端に固定されており、操作スリーブ３における各ＬＥＤ１０の前方部分には、透明カバー１３が夫々嵌着されている。さらに、操作スリーブ３には、ボタン電池１１の交換用の蓋１４が開閉可能に設けられている。
【００１０】
一方、ドライバドリル２０は、ハウジング２１に収容したモータ２２の出力軸２３の回転を、その前方に配置した遊星歯車減速機構２４を介して減速し、最終段のキャリア２５と連結されるスピンドル２６へ伝達するもので、ハウジング２１内には、トリガ２８を備えたモータ２２のスイッチ２７が設けられている。また、スピンドル２６を軸支するギヤケース２９には、スピンドル２６への所定の負荷に応じて回転伝達を遮断するクラッチ機構３０が備えられると共に、そのクラッチ機構３０が働くクラッチ作動トルクを調整するチェンジリング３１が外装されている。また、ギヤケース２９内には、スピンドル２６に震動を付与可能な震動機構３２が備えられ、ギヤケース２９の前方には、震動機構３２の動作の有無を選択可能なモード切替リング３３が外装されている。
【００１１】
以上の如く構成されたチャック１及びドライバドリル２０において、例えばネジ締め作業を行う場合、操作スリーブ３を回転操作してチャック１の把持爪６，６・・を拡開させ、所定のビットを把持させる。次に、トリガ２８を押し込んでスイッチ２７をＯＮさせると、モータ２２が駆動して出力軸２３が回転し、遊星歯車減速機構２４で減速された速度でスピンドル２６と共にチャック１が回転して、先端のビットでネジ締めが可能となる。
そして、ネジ締めの場所が暗い場合は、作業前に、チャック１のスイッチ１２をＯＮ側へスライドさせると、３つのＬＥＤ１０が全て点灯し、ビットの前方を照射するため、作業者は暗い場所でも正確に作業可能となる。なお、ＬＥＤ１０は同心円上にあってその向きにより全てビット前方の同じ箇所を照射するため、チャック１が回転しても照射箇所は変わらない。作業終了後は、スイッチ１２をＯＦＦ操作すればＬＥＤ１０は全て消灯する。
【００１２】
このように上記形態１のチャック１及びドライバドリル２０によれば、暗い場所でも支障なくネジ締め等の作業を行うことができる。また、ＬＥＤ１０をチャック１に設けたことで、数や位置に制限を受けずに適正な設置箇所が選択可能となり、ビットとＬＥＤ１０との距離を最短にできる。よって、チャック１の大きさやビットの長さにかかわりなく、常に適切な照明が可能となって使い勝手に優れる。
特に、ボタン電池１１を備えてチャック１内で照明用の回路を形成したことで、照明機能のないドライバドリル２０にも簡単に照明機能を付与することができる。さらに、モータ２２の駆動にかかわりなくスイッチ１２で任意に点消灯可能としているから、照明が不要な際にはＬＥＤ１０を消灯させて電源を節約することもできる。
【００１３】
《形態２》
次に、チャック及びドライバドリルの他の形態を説明する。なお、形態１と同じ構成部は同じ符号を付して重複する説明は省略する。
図３に示すチャック１ａにおいて、ライトユニット８ａの基板９やＬＥＤ１０が設けられる箇所は形態１と同じであるが、ここでの電源はドライバドリル２０ａから得ている。すなわち、基板９に接続した＋側の端子板１５を操作スリーブ３内で内方へ折り曲げ、その折り曲げ端をチャック１ａの本体２へ弾性的に当接させて、後端へ露出する金属製の本体２を＋端子に兼用する一方、−側の端子板１６を、後面を貫通して後方へ突出させたもので、操作スリーブ３には、端子板１６に沿って後方へ延び、端子板１６の保護と防塵とを図る筒状の延設部１７が形成されている。
【００１４】
一方、ドライバドリル２０ａ側では、モード切替リング３３ａが前方を開放した筒状となっており、チャック１ａの装着状態で、延設部１７と共に端子板１６が内挿する。モード切替リング３３ａの内周には、第１端子リング３４が嵌着されて、モード切替リング３３ａ内に延びる端子板１６がその内周側で当接するようになっている。また、第１端子リング３４の後方では、チェンジリング３１に内設された第２端子リング３５が内周側で当接し、さらに第２端子リング３５の後方では、モータ２２の駆動回路と接続された−側のリード線３７が接続される第３端子板３６が外周側で当接している。なお、駆動回路の＋側のリード線３８は、金属製のギヤケース２９に接続されていることから、ギヤケース２９及びそれと接触する金属製のスピンドル２６とが工具側の＋端子となり、チャック１ａの本体２を介して端子板１５と電気的接続される。
【００１５】
以上の如く構成されたチャック１ａ及びドライバドリル２０ａにおいて、例えばネジ締め作業を行う場合、まず操作スリーブ３を回転操作してチャック１ａの把持爪６，６・・を拡開させ、所定のビットを把持させる。そして、トリガ２８を押し込んでスイッチ２７をＯＮさせると、モータ２２が駆動して出力軸２３が回転し、遊星歯車減速機構２４で減速された速度でスピンドル２６と共にチャック１ａが回転して、先端のビットでネジ締めが可能となる。
【００１６】
このモータ２２の駆動と同時に、各ＬＥＤ１０の照明用の回路は、−側ではリード線３７から第３端子板３６、第１、第２端子リング３４，３５、端子板１６を介して、＋側では端子板１５から本体２、スピンドル２６、ギヤケース２９、リード線３８を介して通電されるため、３つのＬＥＤ１０が全て点灯し、ビットの前方を照射する。よって、作業者は暗い場所でも正確に作業可能となる。なお、端子板１６は常にモード切替リング３３ａ側の第１端子リング３４と摺接しており、チェンジリング３１の回転位置にかかわらず、第３端子板３６も常に第２端子リング３５に摺接しているため、チャック１ａが回転したり、クラッチ作動トルクやモードを変更したりしても電気的接続は維持される。作業終了後は、トリガ２８の押し込みを解除してモータ２２をＯＦＦさせればＬＥＤ１０は全て消灯する。
【００１７】
このように上記形態２のチャック１ａ及びドライバドリル２０ａによっても、暗い場所でも支障なくネジ締め等の作業を行うことができる。また、ＬＥＤ１０をチャック１ａに設けたことで、数や位置に制限を受けずに適正な設置箇所が選択可能となり、ビットとＬＥＤ１０との距離を最短にできる。よって、チャック１ａの大きさやビットの長さにかかわりなく、常に適切な照明が可能となって使い勝手に優れる。
特に本形態２では、形態１に比べて、ＬＥＤ１０の電源をドライバドリル２０ａから得ることで、リード線の引き回しや端子リング及び端子板の設置等が必要となって多少構造が複雑となるが、モータ２２の駆動に連動させているから、いちいち照明用のスイッチを操作しなくても作業開始と同時に自動的にＬＥＤ１０が点灯し、作業終了と同時に自動的に消灯する構造となり、使い勝手により優れるという利点はある。
また、チャック１ａ及びドライバドリル２０ａでの正負の端子の一方に、両者の金属製の構成部品を兼用しているから、ＬＥＤ１０の電源への接続が簡単に行えるようになっている。
【００１８】
なお、形態１，２において、ＬＥＤの数や位置は適宜増減可能であるし、ＬＥＤに代えて電球等の他の照明体も採用できる。また、ＬＥＤ等の照明体は、必ずしも同じ方向に向ける必要はなく、夫々異なる所定の向きに設けることもできるし、照明体を操作スリーブ内で微動可能として、照明体ごとに照射方向を調整可能としても良い。また、スイッチを各照明体ごとに設けて、必要な照明体のみ選択して点消灯させることもできる。
また、電源を形態１のような電池とする場合、チャック側にスペースがなければ、電動工具の前方部に電池を収納し、その電池との間は形態２のような端子同士の摺接によって電気的接続を図ることもできる。
【００１９】
そして、上記形態１では、ライトユニット８を操作スリーブ３内に組み込んでいるが、照明体と電池とスイッチとを有するライトユニットを操作スリーブと別体に設けて、操作スリーブの前方や側面に着脱可能としても良いし、ソケットや差し込みプラグ構造を採用して照明体のみ着脱可能とし、交換を容易にしても良い。
一方、形態２では、＋側をスピンドルやギヤケース等のハウジングから電源に接続し、−側を端子板や端子リングでモータの駆動回路に接続しているが、これと逆であっても差し支えないし、＋側と−側とを分離できれば双方共に金属製の構成部品を利用することもできる。電動工具側にモード切替やトルク調整用の回転部材がなければ、チャック側或いは電動工具の開口側のみをリング状の端子板にして、後は板状の端子板で電気的接続させても良い。また、金属部品を利用する構造に限らず、正負のリード線を電動工具の前方部まで引き回してモード切替リング等の内周の前後に配置されたリング状の端子と接続し、各端子に、チャックの後方に延設した長さの異なる正負の端子板を夫々摺接させることもできる。
【００２０】
【発明の効果】
請求項１，２及び４の発明によれば、照明体付のチャックを電動工具へ装着することで、暗い場所でも支障なくネジ締め等の作業を行うことができる。特に、照明体をチャックに設けたことで、数や位置に制限を受けずに適正な設置箇所が選択可能となり、ビットと照明体との距離を最短にできる。よって、チャックの大きさやビットの長さにかかわりなく、常に適切な照明が可能となって使い勝手に優れる。
そして、請求項１のチャックでは、電池を備えてチャック内で照明用の回路を形成したことで、照明機能のない電動工具にも簡単に照明機能を付与することができる。さらに、モータの駆動にかかわりなくスイッチ手段で任意に点消灯可能としているから、照明が不要な際には照明体を消灯させて電源を節約することもできる。
逆に、請求項２のチャックでは、照明体の点消灯をモータの駆動に連動させているから、作業開始と同時に自動的に照明体が点灯し、作業終了と同時に自動的に消灯する構造となり、スイッチ手段の操作がなく使い勝手により優れるという利点がある。
【００２１】
一方、請求項３及び５に記載の発明によれば、請求項２または４の効果に加えて、正負の端子の一方または双方を金属製の構成部品で兼用したことで、照明体の電源への接続を簡単な構成で行うことができる。
【図面の簡単な説明】
【図１】形態１のチャック及びドライバドリルの一部縦断面図である。
【図２】チャックを前方から見た説明図である。
【図３】形態２のチャック及びドライバドリルの一部縦断面図である。
【符号の説明】
１，１ａ・・チャック、２・・本体、３・・操作スリーブ、６・・把持爪、８，８ａ・・ライトユニット、９・・基板、１０・・ＬＥＤ、１１・・ボタン電池、１５，１６・・端子板、２０，２０ａ・・ドライバドリル、２１・・ハウジング、２２・・モータ、２３・・出力軸、２６・・スピンドル、２７・・スイッチ、２９・・ギヤケース、３１・・チェンジリング、３３，３３ａ・・モード切替リング、３４・・第１端子リング、３５・・第２端子リング、３７，３８・・リード線。
【図１】
2004174667.tif 000003
【図２】
2004174667.tif 000004
【図３】
2004174667.tif 000005